(57)【特許請求の範囲】
【請求項１】
自装置を制御するＣＰＵと、
携帯端末装置と近距離無線通信を行う近距離無線通信手段と、
有線ネットワーク接続手段と、
無線ネットワーク接続手段と、
前記近距離無線通信手段により、前記携帯端末装置から自装置と接続するためのＩＰアドレスの問い合わせを受信したときに、前記ＣＰＵの使用状況を確認する確認手段と、
前記確認手段により確認された前記ＣＰＵの使用状況に応じて、前記有線ネットワーク接続手段との接続用の有線ＩＰアドレスを通知するか、前記無線ネットワーク接続手段との接続用の無線ＩＰアドレスを通知するかを決定する決定手段と、
前記携帯端末装置からのＩＰアドレスの問い合わせに対し、前記決定手段で決定された有線ＩＰアドレスまたは無線ＩＰアドレスを、前記近距離無線通信手段を介して前記携帯端末装置に通知するＩＰアドレス通知手段と、
を備えたことを特徴とする画像処理装置。
【請求項２】
前記確認手段は前記ＣＰＵの使用率を確認し、
前記決定手段は、前記ＣＰＵの使用率が予め設定された閾値以上であるときは、有線ＩＰアドレスを通知することを決定し、予め設定された閾値未満であるときは無線ＩＰアドレスを通知することを決定する請求項１に記載の画像処理装置。
【請求項３】
前記確認手段は過去のジョブ履歴から前記ＣＰＵの平均使用率を確認し、
前記決定手段は、前記ＣＰＵの平均使用率が予め設定された閾値以上の時間帯であるときは、有線ＩＰアドレスを通知することを決定し、予め設定された閾値未満の時間帯であるときは無線ＩＰアドレスを通知することを決定する請求項１に記載の画像処理装置。
【請求項４】
前記確認手段は、予約ジョブにより予想されるＣＰＵの使用状況をも確認し、
前記決定手段は、予約ジョブによるＣＰＵの使用状況に応じて、有線ＩＰアドレスを通知するか無線ＩＰアドレスを通知するかを決定する請求項１に記載の画像処理装置。
【請求項５】
前記確認手段は、自装置が受け付けた設定指示に基づくＣＰＵの使用状況を確認し、
前記決定手段は、設定指示に基づくＣＰＵの使用状況に応じて、有線ＩＰアドレスを通知するか無線ＩＰアドレスを通知するかを決定する請求項１に記載の画像処理装置。
【請求項６】
携帯端末装置と近距離無線通信を行う近距離無線通信手段と、
有線ネットワーク接続手段と、
無線ネットワーク接続手段と、
前記近距離無線通信手段により、前記携帯端末装置から自装置と接続するためのＩＰアドレスの問い合わせを受信したときに、前記無線ネットワーク接続手段のデータ通信量を確認する確認手段と、
前記確認手段により確認された前記無線ネットワーク接続手段のデータ通信量に応じて、前記有線ネットワーク接続手段との接続用の有線ＩＰアドレスを通知するか、前記無線ネットワーク接続手段との接続用の無線ＩＰアドレスを通知するかを決定する決定手段と、
前記携帯端末装置からのＩＰアドレスの問い合わせに対し、前記決定手段で決定された有線ＩＰアドレスまたは無線ＩＰアドレスを、前記近距離無線通信手段を介して前記携帯端末装置に通知するＩＰアドレス通知手段と、
を備えたことを特徴とする画像処理装置。
【請求項７】
前記確認手段は、前記無線ネットワーク接続手段による一定時間内のデータ通信量を確認し、
前記決定手段は、一定時間内のデータ通信量が予め設定された閾値以上であるときは、有線ＩＰアドレスを通知することを決定し、予め設定された閾値未満であるときは無線ＩＰアドレスを通知することを決定する請求項６に記載の画像処理装置。
【請求項８】
前記確認手段は、過去の履歴から前記無線ネットワーク接続手段によるデータ通信量を確認し、
前記決定手段は、前記無線ネットワーク接続手段によるデータ通信量が、予め設定された閾値以上の時間帯であるときは有線ＩＰアドレスを通知することを決定し、予め設定された閾値未満の時間帯であるときは無線ＩＰアドレスを通知することを決定する請求項６に記載の画像処理装置。
【請求項９】
携帯端末装置と近距離無線通信を行う近距離無線通信手段と、
有線ネットワーク接続手段と、無線ネットワーク接続手段と、
前記近距離無線通信手段により、前記携帯端末装置から自装置と接続するためのＩＰアドレスの問い合わせを受信したときに、前記無線ネットワーク接続手段の通信状況を確認する確認手段と、
前記確認手段により確認された前記無線ネットワーク接続手段の通信状況に応じて、前記有線ネットワーク接続手段との接続用の有線ＩＰアドレスを通知するか、前記無線ネットワーク接続手段との接続用の無線ＩＰアドレスを通知するかを決定する決定手段と、
前記携帯端末装置からのＩＰアドレスの問い合わせに対し、前記決定手段で決定された有線ＩＰアドレスまたは無線ＩＰアドレスを、前記近距離無線通信手段を介して前記携帯端末装置に通知するＩＰアドレス通知手段と、
自装置を制御するＣＰＵを備え、
前記確認手段は前記ＣＰＵの使用率と、前記無線ネットワーク接続手段による無線接続数を確認し、
前記決定手段は、前記ＣＰＵの使用率が５０〜７０％の場合に、前記無線接続数が予め設定された閾値以上であるときは有線ＩＰアドレスを通知することを決定し、前記無線接続数が予め設定された閾値未満であるときは無線ＩＰアドレスを通知することを決定することを特徴とする画像処理装置。
【請求項１０】
前記確認手段は、前記携帯端末装置との過去のデータ通信量を確認し、
前記決定手段は、前記過去のデータ通信量が予め設定された閾値以上であるときは有線ＩＰアドレスを通知することを決定し、予め設定された閾値未満であるときは無線ＩＰアドレスを通知することを決定する請求項６に記載の画像処理装置。
【請求項１１】
前記確認手段による確認、前記決定手段による決定、及び該決定に基づく前記ＩＰアドレス通知手段による通知を行うかどうかをユーザーが設定可能な設定手段を備えている請求項１〜１０のいずれかに記載の画像処理装置。
【請求項１２】
自装置を制御するＣＰＵと、携帯端末装置と近距離無線通信を行う近距離無線通信手段と、有線ネットワーク接続手段と、無線ネットワーク接続手段と、を備えた画像処理装置が、
前記近距離無線通信手段により、前記携帯端末装置から自装置と接続するためのＩＰアドレスの問い合わせを受信したときに、前記ＣＰＵの使用状況を確認する確認ステップと、
前記確認ステップにより確認された前記ＣＰＵの使用状況に応じて、前記有線ネットワーク接続手段との接続用の有線ＩＰアドレスを通知するか、前記無線ネットワーク接続手段との接続用の無線ＩＰアドレスを通知するかを決定する決定ステップと、
前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、
を実行することを特徴とするＩＰアドレス通知方法。
【請求項１３】
携帯端末装置と近距離無線通信を行う近距離無線通信手段と、有線ネットワーク接続手段と、無線ネットワーク接続手段と、を備えた画像処理装置が、
前記近距離無線通信手段により、前記携帯端末装置から自装置と接続するためのＩＰアドレスの問い合わせを受信したときに、前記無線ネットワーク接続手段のデータ通信量を確認する確認ステップと、
前記確認ステップにより確認された前記無線ネットワーク接続手段のデータ通信量に応じて、前記有線ネットワーク接続手段との接続用の有線ＩＰアドレスを通知するか、前記無線ネットワーク接続手段との接続用の無線ＩＰアドレスを通知するかを決定する決定ステップと、
前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、
を実行することを特徴とするＩＰアドレス通知方法。
【請求項１４】
自装置を制御するＣＰＵと、携帯端末装置と近距離無線通信を行う近距離無線通信手段と、有線ネットワーク接続手段と、無線ネットワーク接続手段と、を備えた画像処理装置の前記ＣＰＵに、
前記近距離無線通信手段により、前記携帯端末装置から自装置と接続するためのＩＰアドレスの問い合わせを受信したときに、前記ＣＰＵの使用状況を確認する確認ステップと、
前記確認ステップにより確認された前記ＣＰＵの使用状況に応じて、前記有線ネットワーク接続手段との接続用の有線ＩＰアドレスを通知するか、前記無線ネットワーク接続手段との接続用の無線ＩＰアドレスを通知するかを決定する決定ステップと、
前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、
を実行させるためのＩＰアドレス通知プログラム。
【請求項１５】
携帯端末装置と近距離無線通信を行う近距離無線通信手段と、有線ネットワーク接続手段と、無線ネットワーク接続手段と、を備えた画像処理装置のコンピュータに、
前記近距離無線通信手段により、前記携帯端末装置から自装置と接続するためのＩＰアドレスの問い合わせを受信したときに、前記無線ネットワーク接続手段のデータ通信量を確認する確認ステップと、
前記確認ステップにより確認された前記無線ネットワーク接続手段のデータ通信量に応じて、前記有線ネットワーク接続手段との接続用の有線ＩＰアドレスを通知するか、前記無線ネットワーク接続手段との接続用の無線ＩＰアドレスを通知するかを決定する決定ステップと、
前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、
を実行させるためのＩＰアドレス通知プログラム。
【請求項１６】
携帯端末装置と請求項１〜１１のいずれかに記載の画像処理装置とを備え、
前記携帯端末装置は、
前記画像処理装置と近距離無線通信を行う近距離無線通信手段と、
前記近距離無線通信手段により、前記画像処理装置に携帯端末装置と接続するためのＩＰアドレスの問い合わせを送信する送信手段と、
前記問い合わせに対して画像処理装置からの無線ＩＰアドレスまたは有線ＩＰアドレスの通知を受信する受信手段と、
前記受信手段により受信した無線ＩＰアドレスまたは有線ＩＰアドレスに対して接続を行う接続手段と、
を備えたことを特徴とする通信システム。
【発明の詳細な説明】
【技術分野】
【０００１】
この発明は、例えば、有線ネットワーク及び無線ネットワークのいずれによっても接続可能な画像処理装置、ＩＰアドレス通知方法、ＩＰアドレス通知プログラム及び通信システムに関する。
【背景技術】
【０００２】
例えば、コピー機能、プリンタ機能、ファクシミリ機能、スキャン機能等の複数の機能を有するＭＦＰ（Multi Function Peripheral）と称される画像処理装置として、有線ネットワークの一例である有線ＬＡＮ（Local Area Network）インターフェース、及び無線ネットワークの一例である無線ＬＡＮインターフェースの両方を備えるとともに、タブレット端末やスマートフォン等の携帯端末装置と近距離無線通信を行うための近距離無線通信部を備えたものが知られている。
【０００３】
このような画像処理装置では、携帯端末装置のユーザーが携帯端末装置から例えば印刷データを画像処理装置に送信して画像処理装置で印刷を行いたい場合、携帯端末装置を画像処理装置の近距離無線通信部にタッチないし近接させて、近距離無線通信により画像処理装置にＩＰアドレスの問い合わせを行い、画像処理装置から有線ＬＡＮに接続するための有線ＩＰアドレスまたは無線ＬＡＮに接続するための無線ＩＰアドレスのいずれかの通知を受け、通知されたＩＰアドレスに対して接続を行い、印刷データを送信するようになっている。
【先行技術文献】
【特許文献】
【０００４】
【特許文献１】特開２００８−２３６７０１号公報
【特許文献２】特開２００８−０６０６９５号公報
【特許文献３】特開２０１５−０９７１１４号公報
【特許文献４】特開２０１４−１７９９２６号公報
【発明の概要】
【発明が解決しようとする課題】
【０００５】
ところで、画像処理装置に搭載されている制御用のＣＰＵに対しては、通信状態が安定している有線ＬＡＮでの接続時よりも無線ＬＡＮでの接続時の方が負荷が高くなる。このため、例えばＣＰＵの使用率が高い状況では有線用ＬＡＮと接続させた方が、画像処理装置の負荷の増大を可及的に抑制できる点で望ましいにもかかわらず、従来ではこのような配慮はなされていなかった。また、既に他の携帯端末装置が無線ＬＡＮに接続されていて無線通信量が多い状況では、無線ＬＡＮの接続回線に空きがあっても有線用ＬＡＮと接続させた方が良いにもかかわらず、やはりこのような配慮はなされていなかった。
【０００６】
このため、ＣＰＵの使用率が高い状況や無線通信量が多い状況であっても、画像処理装置が無線ＩＰアドレスを携帯端末装置に通知してしまい、益々負荷が増大するといった問題があった。
【０００７】
なお、上述の特許文献１には、子機載置部を有し、外部と通信可能な親機と、子機載置部に載置可能であるとともに、親機と無線通信可能であり、親機を介して外部と通信可能な子機とを備えた通信装置において、子機が子機載置部に載置された場合には、子機と親機とが有線接続される構成の通信装置が開示されている。
【０００８】
特許文献２には、複数の通信手段を用いて効率良くデータ通信を行うようにした情報通信システムとして、 ホスト端末は、印刷データを所定の分割レートに基づき分割するとともに、それを送信に適したサイズの分割データに分け、その分けられた分割データ各々に分割ヘッダを付し、有線ＬＡＮインターフェース宛ての分割データ群を宛先、無線ＬＡＮインターフェース宛ての分割データ群を宛先へ向けてそれぞれ送信し、プリンタでは、有線ＬＡＮインターフェースおよび無線ＬＡＮインターフェースを用いて受信した分割データ群を、分割データ各々に付された分割ヘッダに基づき結合し、分割前の状態に印刷データを復元させ、この印刷データに基づき印刷を行うシステムが開示されている。
【０００９】
特許文献３には、無線インターフェースの設定を有線インターフェースを使って、より容易に実現できる情報処理装置として、無線インターフェースを備えるプリンタと有線インターフェースを介して通信し、当該プリンタが検索したアクセスポイントを示す情報を取得する取得手段と、取得手段が取得した情報に基づきプリンタに使用させるアクセスポイントを決定する決定手段と、決定手段により決定されたアクセスポイントをプリンタに通知する通知手段と、を備えたものが開示されている。
【００１０】
特許文献４には、通信装置の通信モードを、通信装置自体の動作状態に応じた適切なタイミングに自動的に切り替える技術として、通信装置（印刷装置）は、第１の無線通信モード（または有線通信モード）と第２の無線通信モードとのいずれかの通信モードで、外部装置との通信を制御し、印刷装置は、動作状態が省電力状態等の他の状態に移行する際に、通信モードが第２の無線通信モードに設定されている場合には、通信モードを第１の無線通信モード（または有線通信モード）に切り替える技術が開示されている。
【００１１】
しかしながら、上記特許文献１〜４は、携帯端末装置を画像処理装置の近距離無線通信部にタッチないし近接させて、近距離無線通信により画像処理装置にＩＰアドレスの問い合わせを行い、画像処理装置から有線ネットワークまたは無線ネットワークに接続可能なＩＰアドレスの通知を受け、通知されたＩＰアドレスに対して接続を行い印刷データ等を送信する場合に、画像処理装置のＣＰＵの使用率が高い場合や無線通信量が多い場合であっても、画像処理装置が無線ネットワークと接続するための無線ＩＰアドレスを携帯端末装置に通知してしまい、画像処理装置の負荷が益々増大するといった問題に対して、解決策を提供しうるものではなかった。
【００１２】
この発明は、このような技術的背景に鑑みてなされたものであって、携帯端末装置から近距離無線通信によりＩＰアドレスの問い合わせがあった場合に、ＣＰＵの使用状況や無線ネットワークの通信状況に応じて、有線ＩＰアドレスまたは無線ＩＰアドレスのうち適切な方を通知することにより、負荷の増大を可及的に抑制できる画像処理装置、ＩＰアドレス通知方法、ＩＰアドレス通知プログラム及び通信システムを提供することを課題とする。
【課題を解決するための手段】
【００１３】
上記課題は、以下の手段によって解決される。
（１）自装置を制御するＣＰＵと、携帯端末装置と近距離無線通信を行う近距離無線通信手段と、有線ネットワーク接続手段と、無線ネットワーク接続手段と、前記近距離無線通信手段により、前記携帯端末装置から自装置と接続するためのＩＰアドレスの問い合わせを受信したときに、前記ＣＰＵの使用状況を確認する確認手段と、前記確認手段により確認された前記ＣＰＵの使用状況に応じて、前記有線ネットワーク接続手段との接続用の有線ＩＰアドレスを通知するか、前記無線ネットワーク接続手段との接続用の無線ＩＰアドレスを通知するかを決定する決定手段と、前記携帯端末装置からのＩＰアドレスの問い合わせに対し、前記決定手段で決定された有線ＩＰアドレスまたは無線ＩＰアドレスを、前記近距離無線通信手段を介して前記携帯端末装置に通知するＩＰアドレス通知手段と、を備えたことを特徴とする画像処理装置。
（２）前記確認手段は前記ＣＰＵの使用率を確認し、前記決定手段は、前記ＣＰＵの使用率が予め設定された閾値以上であるときは、有線ＩＰアドレスを通知することを決定し、予め設定された閾値未満であるときは無線ＩＰアドレスを通知することを決定する前項１に記載の画像処理装置。
（３）前記確認手段は過去のジョブ履歴から前記ＣＰＵの平均使用率を確認し、前記決定手段は、前記ＣＰＵの平均使用率が予め設定された閾値以上の時間帯であるときは、有線
ＩＰアドレスを通知することを決定し、予め設定された閾値未満の時間帯であるときは無線ＩＰアドレスを通知することを決定する前項１に記載の画像処理装置。
（４）前記確認手段は、予約ジョブにより予想されるＣＰＵの使用状況をも確認し、前記決定手段は、予約ジョブによるＣＰＵの使用状況に応じて、有線ＩＰアドレスを通知するか無線ＩＰアドレスを通知するかを決定する前項１に記載の画像処理装置。
（５）前記確認手段は、自装置が受け付けた設定指示に基づくＣＰＵの使用状況を確認し、前記決定手段は、設定指示に基づくＣＰＵの使用状況に応じて、有線ＩＰアドレスを通知するか無線ＩＰアドレスを通知するかを決定する前項１に記載の画像処理装置。
（６）携帯端末装置と近距離無線通信を行う近距離無線通信手段と、有線ネットワーク接続手段と、無線ネットワーク接続手段と、前記近距離無線通信手段により、前記携帯端末装置から自装置と接続するためのＩＰアドレスの問い合わせを受信したときに、前記無線ネットワーク接続手段のデータ通信量を確認する確認手段と、前記確認手段により確認された前記無線ネットワーク接続手段のデータ通信量に応じて、前記有線ネットワーク接続手段との接続用の有線ＩＰアドレスを通知するか、前記無線ネットワーク接続手段との接続用の無線ＩＰアドレスを通知するかを決定する決定手段と、前記携帯端末装置からのＩＰアドレスの問い合わせに対し、前記決定手段で決定された有線ＩＰアドレスまたは無線ＩＰアドレスを、前記近距離無線通信手段を介して前記携帯端末装置に通知するＩＰアドレス通知手段と、を備えたことを特徴とする画像処理装置。
（７）前記確認手段は、前記無線ネットワーク接続手段による一定時間内のデータ通信量を確認し、前記決定手段は、一定時間内のデータ通信量が予め設定された閾値以上であるときは、有線ＩＰアドレスを通知することを決定し、予め設定された閾値未満であるときは無線ＩＰアドレスを通知することを決定する前項６に記載の画像処理装置。
（８）前記確認手段は、過去の履歴から前記無線ネットワーク接続手段によるデータ通信量を確認し、前記決定手段は、前記無線ネットワーク接続手段によるデータ通信量が、予め設定された閾値以上の時間帯であるときは有線ＩＰアドレスを通知することを決定し、予め設定された閾値未満の時間帯であるときは無線ＩＰアドレスを通知することを決定する前項６に記載の画像処理装置。
（９）携帯端末装置と近距離無線通信を行う近距離無線通信手段と、有線ネットワーク接続手段と、無線ネットワーク接続手段と、前記近距離無線通信手段により、前記携帯端末装置から自装置と接続するためのＩＰアドレスの問い合わせを受信したときに、前記無線ネットワーク接続手段の通信状況を確認する確認手段と、前記確認手段により確認された前記無線ネットワーク接続手段の通信状況に応じて、前記有線ネットワーク接続手段との接続用の有線ＩＰアドレスを通知するか、前記無線ネットワーク接続手段との接続用の無線ＩＰアドレスを通知するかを決定する決定手段と、前記携帯端末装置からのＩＰアドレスの問い合わせに対し、前記決定手段で決定された有線ＩＰアドレスまたは無線ＩＰアドレスを、前記近距離無線通信手段を介して前記携帯端末装置に通知するＩＰアドレス通知手段と、自装置を制御するＣＰＵを備え、前記確認手段は前記ＣＰＵの使用率と、前記無線ネットワーク接続手段による無線接続数を確認し、前記決定手段は、前記ＣＰＵの使用率が５０〜７０％の場合に、前記無線接続数が予め設定された閾値以上であるときは有線ＩＰアドレスを通知することを決定し、前記無線接続数が予め設定された閾値未満であるときは無線ＩＰアドレスを通知することを決定することを特徴とする画像処理装置。
（１０）前記確認手段は、前記携帯端末装置との過去のデータ通信量を確認し、前記決定手段は、前記過去のデータ通信量が予め設定された閾値以上であるときは有線ＩＰアドレスを通知することを決定し、予め設定された閾値未満であるときは無線ＩＰアドレスを通知することを決定する前項６に記載の画像処理装置。
（１１）前記確認手段による確認、前記決定手段による決定、及び該決定に基づく前記ＩＰアドレス通知手段による通知を行うかどうかをユーザーが設定可能な設定手段を備えている前項１〜１０のいずれかに記載の画像処理装置。
（１２）自装置を制御するＣＰＵと、携帯端末装置と近距離無線通信を行う近距離無線通信手段と、有線ネットワーク接続手段と、無線ネットワーク接続手段と、を備えた画像処理装置が、前記近距離無線通信手段により、前記携帯端末装置から自装置と接続するためのＩＰアドレスの問い合わせを受信したときに、前記ＣＰＵの使用状況を確認する確認ステップと、前記確認ステップにより確認された前記ＣＰＵの使用状況に応じて、前記有線ネットワーク接続手段との接続用の有線ＩＰアドレスを通知するか、前記無線ネットワーク接続手段との接続用の無線ＩＰアドレスを通知するかを決定する決定ステップと、前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、を実行することを特徴とするＩＰアドレス通知方法。
（１３）携帯端末装置と近距離無線通信を行う近距離無線通信手段と、有線ネットワーク接続手段と、無線ネットワーク接続手段と、を備えた画像処理装置が、前記近距離無線通信手段により、前記携帯端末装置から自装置と接続するためのＩＰアドレスの問い合わせを受信したときに、前記無線ネットワーク接続手段のデータ通信量を確認する確認ステップと、前記確認ステップにより確認された前記無線ネットワーク接続手段のデータ通信量に応じて、前記有線ネットワーク接続手段との接続用の有線ＩＰアドレスを通知するか、前記無線ネットワーク接続手段との接続用の無線ＩＰアドレスを通知するかを決定する決定ステップと、前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、を実行することを特徴とするＩＰアドレス通知方法。
（１４）自装置を制御するＣＰＵと、携帯端末装置と近距離無線通信を行う近距離無線通信手段と、有線ネットワーク接続手段と、無線ネットワーク接続手段と、を備えた画像処理装置の前記ＣＰＵに、前記近距離無線通信手段により、前記携帯端末装置から自装置と接続するためのＩＰアドレスの問い合わせを受信したときに、前記ＣＰＵの使用状況を確認する確認ステップと、前記確認ステップにより確認された前記ＣＰＵの使用状況に応じて、前記有線ネットワーク接続手段との接続用の有線ＩＰアドレスを通知するか、前記無線ネットワーク接続手段との接続用の無線ＩＰアドレスを通知するかを決定する決定ステップと、前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、を実行させるためのＩＰアドレス通知プログラム。
（１５）携帯端末装置と近距離無線通信を行う近距離無線通信手段と、有線ネットワーク接続手段と、無線ネットワーク接続手段と、を備えた画像処理装置のコンピュータに、前記近距離無線通信手段により、前記携帯端末装置から自装置と接続するためのＩＰアドレスの問い合わせを受信したときに、前記無線ネットワーク接続手段のデータ通信量を確認する確認ステップと、前記確認ステップにより確認された前記無線ネットワーク接続手段のデータ通信量に応じて、前記有線ネットワーク接続手段との接続用の有線ＩＰアドレスを通知するか、前記無線ネットワーク接続手段との接続用の無線ＩＰアドレスを通知するかを決定する決定ステップと、前記携帯端末装置からのＩＰアドレスの問い合わせに対し、前記決定ステップで決定された有線ＩＰアドレスまたは無線ＩＰアドレスを、前記近距離無線通信手段を介して前記携帯端末装置に通知するＩＰアドレス通知ステップと、を実行させるためのＩＰアドレス通知プログラム。
（１６）携帯端末装置と請求項１〜１１のいずれかに記載の画像処理装置とを備え、前記携帯端末装置は、前記画像処理装置と近距離無線通信を行う近距離無線通信手段と、前記近距離無線通信手段により、前記画像処理装置に携帯端末装置と接続するためのＩＰアドレスの問い合わせを送信する送信手段と、前記問い合わせに対して画像処理装置からの無線ＩＰアドレスまたは有線ＩＰアドレスの通知を受信する受信手段と、前記受信手段により受信した無線ＩＰアドレスまたは有線ＩＰアドレスに対して接続を行う接続手段と、を備えたことを特徴とする通信システム。
【発明の効果】
【００１４】
前項（１）に記載の発明によれば、携帯端末装置から自装置と接続するためのＩＰアドレスの問い合わせを受信したときに、ＣＰＵの使用状況を確認し、確認した使用状況に応じて有線ネットワーク接続手段との接続用の有線ＩＰアドレスを通知するか、無線ネットワーク接続手段との接続用の無線ＩＰアドレスを通知するかを決定し、携帯端末装置からのＩＰアドレスの問い合わせに対し、決定された有線ＩＰアドレスまたは無線ＩＰアドレスを携帯端末装置に通知するから、ＣＰＵの使用率が高い場合等に有線ＩＰアドレスを通知することにより、無線ネットワークに接続される場合に較べて負荷の増大を抑制できる。
【００１５】
前項（２）に記載の発明によれば、ＣＰＵの使用率が予め設定された閾値以上か否かに応じて最適なＩＰアドレスを通知することができ、画像処理装置の負荷の増大を確実に抑制できる。
【００１６】
前項（３）に記載の発明によれば、ＣＰＵの平均使用率が予め設定された閾値以上の時間帯であるか否かに応じて最適なＩＰアドレスを通知することができ、画像処理装置の負荷の増大を確実に抑制できる。
【００１７】
前項（４）に記載の発明によれば、予約ジョブにより予想されるＣＰＵの使用状況に応じて最適なＩＰアドレスを通知することができ、画像処理装置の負荷の増大を確実に抑制できる。
【００１８】
前項（５）に記載の発明によれば、画像処理装置が受け付けた設定指示に基づくＣＰＵの使用状況に応じて最適なＩＰアドレスを通知することができ、画像処理装置の負荷の増大を確実に抑制できる。
【００１９】
前項（６）に記載の発明によれば、携帯端末装置から自装置と接続するためのＩＰアドレスの問い合わせを受信したときに、無線ネットワーク接続手段のデータ通信量を確認し、確認したデータ通信量に応じて有線ネットワーク接続手段との接続用の有線ＩＰアドレスを通知するか、無線ネットワーク接続手段との接続用の無線ＩＰアドレスを通知するかを決定し、携帯端末装置からのＩＰアドレスの問い合わせに対し、決定された有線ＩＰアドレスまたは無線ＩＰアドレスを携帯端末装置に通知するから、例えば無線通信量が多い場合等に有線ＩＰアドレスを通知することにより、無線ネットワークに接続される場合に較べて負荷の増大を抑制できる。
【００２０】
前項（７）に記載の発明によれば、無線ネットワーク接続手段による一定時間内のデータ通信量が予め設定された閾値以上か否かに応じて最適なＩＰアドレスを通知することができ、画像処理装置の負荷の増大を確実に抑制できる。
【００２１】
前項（８）に記載の発明によれば、無線ネットワーク接続手段によるデータ通信量が、過去の履歴から、予め設定された閾値以上の時間帯であるか否かに応じて最適なＩＰアドレスを通知することができ、画像処理装置の負荷の増大を確実に抑制できる。
【００２２】
前項（９）に記載の発明によれば、ＣＰＵの使用率が５０〜７０％の場合に、無線ネットワーク接続手段による無線接続数が予め設定された閾値以上か否かに応じて最適なＩＰアドレスを通知することができ、画像処理装置の負荷の増大を確実に抑制できる。
【００２３】
前項（１０）に記載の発明によれば、携帯端末装置との過去のデータ通信量が予め設定された閾値以上か否かに応じて最適なＩＰアドレスを通知することができ、画像処理装置の負荷の増大を確実に抑制できる。
【００２４】
前項（１１）に記載の発明によれば、確認手段による確認、決定手段による決定、及び決定に基づく通知手段による通知を行うかどうかをユーザーが設定することができる。
【００２５】
前項（１２）に記載の発明によれば、ＣＰＵの使用率が高い場合等に有線ＩＰアドレスを通知することにより、無線ネットワークに接続される場合に較べて負荷の増大を抑制できる。
【００２６】
前項（１３）に記載の発明によれば、無線ネットワーク接続手段によるデータ通信量が多い場合等に有線ＩＰアドレスを通知することにより、無線ネットワークに接続される場合に較べて負荷の増大を抑制できる。
【００２７】
前項（１４）に記載の発明によれば、携帯端末装置から自装置と接続するためのＩＰアドレスの問い合わせを受信したときに、ＣＰＵの使用状況を確認し、確認した使用状況に応じて有線ネットワーク接続手段との接続用の有線ＩＰアドレスを通知するか、無線ネットワーク接続手段との接続用の無線ＩＰアドレスを通知するかを決定し、携帯端末装置からのＩＰアドレスの問い合わせに対し、決定された有線ＩＰアドレスまたは無線ＩＰアドレスを携帯端末装置に通知する処理を、画像処理装置のコンピュータに実行させることができる。
【００２８】
前項（１５）に記載の発明によれば、携帯端末装置から自装置と接続するためのＩＰアドレスの問い合わせを受信したときに、無線ネットワーク接続手段のデータ通信量を確認し、確認したデータ通信量に応じて有線ネットワーク接続手段との接続用の有線ＩＰアドレスを通知するか、無線ネットワーク接続手段との接続用の無線ＩＰアドレスを通知するかを決定し、携帯端末装置からのＩＰアドレスの問い合わせに対し、決定された有線ＩＰアドレスまたは無線ＩＰアドレスを携帯端末装置に通知する処理を、画像処理装置のコンピュータに実行させることができる。
【００２９】
前項（１６）に記載の発明によれば、ＣＰＵの使用状況が高い場合等に有線ＩＰアドレスを通知することにより、無線ネットワークに接続される場合に較べて負荷の増大を抑制できるシステムとなる。
【図面の簡単な説明】
【００３０】
【図１】この発明の一実施形態に係る画像処理装置と携帯端末装置を備えた通信システムの構成を示す図である。
【図２】画像処理装置の電気的な構成を示すブロック図である。
【図３】携帯端末装置の電気的な構成を示すブロック図である。
【図４】画像処理装置がＣＰＵの使用状況または無線ＬＡＮ接続手段の通信状況に基づいてＩＰアドレスを決定し、決定したＩＰアドレスを携帯端末装置に通知する処理を示すフローチャートである。
【図５】ＣＰＵの使用状況または無線ＬＡＮ接続手段の通信状況を示す表である。
【図６】画像処理装置と過去に接続されたことのある携帯端末装置のデータ通信量の管理テーブルの一例である。
【図７】ジョブ毎に設定されたＣＰＵの使用率を示す表である。
【図８】予約ジョブによるＣＰＵの使用状況に基づいて、有線ＩＰアドレスを通知するか無線ＩＰアドレスを通知するかを決定し携帯端末装置に通知する処理を示すフローチャートである。
【図９】画像処理装置が受け付けた設定指示に基づくＣＰＵの使用状況に応じて、有線ＩＰアドレスを通知するか無線ＩＰアドレスを通知するかを決定し携帯端末装置に通知する処理を示すフローチャートである。
【発明を実施するための形態】
【００３１】
以下、この発明の実施形態を図面に基づいて説明する。
【００３２】
図１は、この発明の一実施形態に係る画像処理装置１００と携帯端末装置３００を備えた通信システムの構成を示す図である。この通信システムでは、画像処理装置１００は近距離無線通信（ＮＦＣ：Near field radio communication）を行うためのＮＦＣリーダライタ４００を備えており、携帯端末装置３００がＮＦＣリーダライタ４００にタッチないし近接（以下、まとめてタッチという）されることにより、画像処理装置１００と携帯端末装置３００との間で近距離無線通信が行われる。なお、図１に示す符号５００は画像処理装置１００に接続されたユーザー端末装置としてのパーソナルコンピュータである。
【００３３】
図２は画像処理装置１００の電気的な構成を示すブロック図である。この実施形態では、画像処理装置１００として、多機能デジタル画像形成装置である前述したＭＦＰが用いられている。以下の説明では画像処理装置をＭＦＰとも記す。
【００３４】
図１に示すように、ＭＦＰ１００は、制御部２０１、プリンタ２０７、スキャナ２０９、及び操作パネル２１１を備える。制御部２０１は、ＣＰＵ２０２、ＲＡＭ２０３、ＲＯＭ２０４、ハードディスク装置（ＨＤＤ）２１４、プリンタインターフェース（Ｉ／Ｆ）２０６、スキャナＩ／Ｆ２０８、操作パネルＩ／Ｆ２１０、無線ネットワーク接続手段としての無線ＬＡＮ Ｉ／Ｆ２１２、及び有線ネットワーク接続手段としての有線ＬＡＮ Ｉ／Ｆ２１３を備える。制御部２０１内の各デバイスは、システムバス２０５を介して相互に接続されている。
【００３５】
ＣＰＵ２０２を含む制御部２０１は、ＭＦＰ１００の全体の動作を制御する。ＣＰＵ２０２は、ＲＯＭ２０４等に記憶された制御プログラムを読み出して実行することで、通信制御などの各種制御を行う。ＲＡＭ２０３は、ＣＰＵ２０２の主メモリ、ワークエリア等の一時記憶領域として用いられる。ＨＤＤ２１４は、データや各種プログラム、或いは各種情報テーブルを記憶する。
【００３６】
プリンタＩ／Ｆ２０６は、プリンタ２０７（プリンタエンジン）と制御部２０１とを接続する。プリンタ２０７は、プリンタＩ／Ｆ２０６を介して入力された印刷データに基づいて、給紙カセット（図示せず）から給紙されたシートに印刷処理を実行する。スキャナＩ／Ｆ２０８は、スキャナ２０９と制御部２０１とを接続する。スキャナ２０９は、載置された原稿を読み取り、画像データを生成し、出力する。スキャナ２０９から出力された画像データは、プリンタ２０７で印刷されたり、ＨＤＤ２１４に記憶されたり、無線ＬＡＮ Ｉ／Ｆ２１２や有線ＬＡＮ Ｉ／Ｆ２１３を介して外部装置に送信されたりする。
【００３７】
操作パネルＩ／Ｆ２１０は、操作パネル２１１と制御部２０１とを接続する。操作パネル２１１には、タッチパネル機能を有する液晶表示部、キーボード、各種ファンクションキー等が備えられている。ユーザーは、操作パネル２１１に表示された画面を確認し、またタッチパネルを用いて様々な指示をＭＦＰ１００に入力することができる。
【００３８】
さらに、操作パネル２１１には前述のＮＦＣリーダライタ４００が備えられている。このＮＦＣリーダライタ４００は、この実施形態では、ＮＦＣ機能が搭載された携帯端末装置３００からＭＦＰ１００にＬＡＮ接続するためのＩＰアドレスの問い合わせがあったとき、有線ＬＡＮＩ／Ｆ２１３に接続するための有線ＩＰアドレスと無線ＬＡＮＩ／Ｆ２１２に接続するための無線ＩＰアドレスのうち、制御部２０１で決定された方のＩＰアドレスを携帯端末装置３００に通知する役割を果たす。制御部２０１によるＩＰアドレスの決定方法については後述する。
【００３９】
無線ＬＡＮ Ｉ／Ｆ２１２は、携帯端末やＰＣ（パーソナルコンピュータ）等の外部装置と無線通信を実行する。また、有線ＬＡＮ Ｉ／Ｆ２１３には、ＬＡＮケーブル（図示せず）が接続され、外部装置と通信（有線通信）を実行する。無線ＬＡＮ Ｉ／Ｆ２１２を介した無線通信または有線ＬＡＮ Ｉ／Ｆ２１３を介した有線通信によって、ＭＦＰ１００は、外部装置に各種情報を送信し、また各種情報を外部装置から受信することができる。例えば、ＭＦＰ１００は、携帯端末装置３００から印刷データを受信し、受信した印刷データに基づいてプリンタ２０７に印刷処理を実行させることができる。また、ＭＦＰ１００は、スキャナ２０９が生成した画像データを外部装置に送信することもできる。
【００４０】
この実施形態では、携帯端末装置３００から有線ＬＡＮＩ／Ｆ２１３に接続するためのアクセスポイント６００が使用環境内に存在しており、携帯端末装置３００からアクセスポイント６００を介して有線ＬＡＮＩ／Ｆ２１３に接続されるようになっている。
【００４１】
図３は携帯端末装置３００の電気的な構成を示すブロック図である。携帯端末装置３００は、例えばタブレット端末やスマートフォンなどからなり、ＣＰＵ３１１、制御プログラムの格納されたＲＯＭ３１２、ＣＰＵ３０１の作業用のＲＡＭ３１３を備え、ＲＯＭ３１２及びＲＡＭ３１３はそれぞれバスを介してＣＰＵ３１１に接続されている。また、ＣＰＵ３１１、ＲＯＭ３１２及びＲＡＭ３１３により、携帯端末装置３００の全体を統括的に制御する制御部３１０を形成している。
【００４２】
制御部３１０には、各種の情報を表示するとともに画面を直接タッチして操作入力を行うタッチパネル３３０、無線ＬＡＮインターフェース（Ｉ／Ｆ）３４０、短距離無線Ｉ／Ｆ３５０が、バスを介してそれぞれ接続されている。無線ＬＡＮＩ／Ｆ３４０は、ＭＦＰ１の無線ＬＡＮＩ／Ｆ２１２やアクセスポイント６００を介した有線ＬＡＮＩ／Ｆ２１３との通信に利用され、短距離無線Ｉ／Ｆ２０７は短距離無線通信を行うためのインターフェースである。
【００４３】
さらに、制御部３１０にはＨＤＤ３２０がバスを介して接続されている。ＨＤＤ３２０には、各種のデータが記憶されている。
【００４４】
次に、携帯端末装置３００からＭＦＰ１００へデータ通信を行う場合の動作の一例を説明する。
【００４５】
携帯端末装置３００のユーザーが、携帯端末装置３００にインストールされたＭＦＰ１００との通信用アプリケーションを起動した状態で、携帯端末装置３００をＭＦＰ１００のＮＦＣリーダライタ４００にタッチさせると、携帯端末装置３００とＭＦＰ１００との間で近距離無線通信が確立され、携帯端末装置３００はＭＦＰ１００へデータ通信を行うためのＭＦＰ１００側のＩＰアドレスを問い合わせる。
【００４６】
ＩＰアドレスの問い合わせを受信したＭＦＰ１００の制御部２０１は、ＣＰＵ２０２の使用状況または無線ＬＡＮＩ／Ｆ２１２の通信状況を確認し、ＣＰＵ２０２の使用状況または無線ＬＡＮＩ／Ｆ２１２の通信状況に応じて、有線ＩＰアドレスまたは無線ＩＰアドレスのうちいずれのＩＰアドレスを通知するかを決定し、ＮＦＣリーダライタ４００を介して携帯端末装置３００に通知する。
【００４７】
携帯端末装置３００のアプリケーションは、通知されたＩＰアドレスが有線ＩＰアドレスの場合には、無線ＬＡＮＩ／Ｆ３４０、アクセスポイント６００を介してＭＦＰ１００の有線ＬＡＮＩ／Ｆ２１３と接続し、例えば印刷ジョブ等をＭＦＰ１００に送信する。通知されたＩＰアドレスが無線ＩＰアドレスの場合には、無線ＬＡＮＩ／Ｆ３４０を介してＭＦＰ１００の無線ＬＡＮＩ／Ｆ２１２と接続する。
【００４８】
図４は、ＭＦＰ１００がＣＰＵ２０２の使用状況または無線ＬＡＮＩ／Ｆ２１２の通信状況に基づいて通知するＩＰアドレスを決定し、決定したＩＰアドレスを携帯端末装置３００に通知する処理を示すフローチャートである。図４の例では、ＣＰＵ２０２の使用状況がＣＰＵの現在の使用率であり、無線ＬＡＮＩ／Ｆ２１２の通信状況が無線ＬＡＮＩ／Ｆ２１２の現在の一定時間内のデータ通信量である場合を示している。なお、図４及びそれ以降のフローチャートに示される処理は、ＭＦＰ１００のＣＰＵ２０２がＲＯＭ２０４等に格納された動作プログラムに従って動作することにより実行される。
【００４９】
ＭＦＰ１００の電源がＯＮになると、ステップＳ０１では、ＮＦＣリーダライタ４００に携帯端末装置３００がタッチされたかどうか、換言すれば携帯端末装置３００から近距離無線通信によるＩＰアドレスの問い合わせがあったかどうかを判定する。タッチされていなければ（ステップＳ０１でＮＯ）、ステップＳ０１の処理を繰り返す。タッチされると（ステップＳ０１でＹＥＳ）、ステップＳ０２では、ＣＰＵ２０２の現在の使用率が閾値である５０％以上かどうかを調べる。使用率が５０％以上であれば（ステップＳ０２でＹＥＳ）、ステップＳ０４で有線ＩＰアドレスの通知を決定し、ＮＦＣリーダライタ４００を介して携帯端末装置３００に通知する。
【００５０】
ＣＰＵ２０２の使用率が５０％未満の場合は（ステップＳ０２でＮＯ）、ステップＳ０３で、他の携帯端末装置等の接続による現在の無線ＬＡＮＩ／Ｆ２１２の１秒間の無線データ通信量が閾値である５０Ｍｂｐｓ以上かどうかを調べる。無線データ通信量が５０Ｍｂｐｓ以上であれば（ステップＳ０３でＹＥＳ）、ステップＳ０４で有線ＩＰアドレスの通知を決定し、ＮＦＣリーダライタ４００を介して携帯端末装置３００に通知する。無線データ通信量が５０Ｍｂｐｓ未満であれば（ステップＳ０３でＮＯ）、ステップＳ０５で無線ＩＰアドレスの通知を決定し、ＮＦＣリーダライタ４００を介して携帯端末装置３００に通知する。
【００５１】
携帯端末装置３００は、アプリケーションにより、ＭＦＰ１００から通知されたＩＰアドレスに接続を行う。通知されたＩＰアドレスが有線ＩＰアドレスの場合は、アクセスポイント６００を介して有線ＬＡＮＩ／Ｆ２１３と接続し、通知されたＩＰアドレスが無線ＩＰアドレスの場合は、無線ＬＡＮＩ／Ｆ２１２と接続する。そして、画像処理装置に対して印刷データ等を送信する。
【００５２】
このように、この実施形態では、ＣＰＵ２０２の使用率が５０％以上か、または１秒間の無線データ通信量が５０Ｍｂｐｓ以上の場合には、携帯端末装置３００に有線ＩＰアドレスを通知するから、ＣＰＵ２０２の使用率が高い場合や無線ＬＡＮＩ／Ｆ２１２のデータ通信量の多い場合等に有線ＩＰアドレスが通知されることにより、携帯端末装置３００から無線ＬＡＮＩ／Ｆ２１２に接続されてデータ通信される場合に較べて負荷の増大を抑制できる。
【００５３】
図４の例では、ＣＰＵ２０２の使用状況がＣＰＵ２０２の現在の使用率であり、また無線ＬＡＮＩ／Ｆ２１２の通信状況が無線ＬＡＮＩ／Ｆ２１２の現在の一秒間のデータ通信量であり、ＣＰＵ２０２の現在の使用率または無線ＬＡＮＩ／Ｆ２１２の現在の一秒間のデータ通信量に基づいて、有線ＩＰアドレスまたは無線ＩＰアドレスのいずれを通知するかを決定したが、ＣＰＵ２０２の過去の使用率、または無線ＬＡＮＩ／Ｆ２１２の過去のデータ通信量に基づいて、有線ＩＰアドレスまたは無線ＩＰアドレスのいずれを通知するかを決定しても良い。
【００５４】
例えば、ＣＰＵ２０２の過去の使用率に関しては、過去１時間のＣＰＵ２０２の平均使用率が一定量以上か否か、あるいは過去１時間以内にＣＰＵ２０２の使用率が５０％以上になったことが３回以上あったかどうか、あるいは過去１時間以内にＣＰＵ２０２の使用率が５０％以上になったことが１０分以上あったかどうか、等を基準にして決定しても良い。この場合の処理は図４のフローチャートのステップＳ０２において、過去１時間のＣＰＵ２０２の平均使用率が一定値以上か否か、あるいは過去１時間以内にＣＰＵ２０２の使用率が５０％以上になったことが３回以上あったかどうか、あるいは過去１時間以内にＣＰＵ２０２の使用率が５０％以上になったことが１０分回以上あったかどうか等を判定し、ＹＥＳの場合にステップＳ０４に進んで有線ＩＰアドレスを決定・通知し、ＮＯの場合にステップＳ０５に進んで無線ＩＰアドレスを決定・通知すれば良い。
【００５５】
また、無線ＬＡＮＩ／Ｆ２１２の過去のデータ通信量に関しては、過去１時間の無線データの平均通信量が一定量以上か否か、あるいは過去１時間以内にデータ通信量が５０Ｍｂｐｓ以上になったことが３回以上あったかどうか、あるいは過去１時間以内にデータ通信量が５０Ｍｂｐｓ以上になったことが１０分以上あったかどうか等を基準にして決定しても良い。この場合の処理は図４のフローチャートのステップＳ０３において、過去１時間のデータ通信量が一定値以上か否か、あるいは過去１時間以内にデータ通信量が５０Ｍｂｐｓ以上になったことが３回以上あったかどうか、あるいは過去１時間以内にデータ通信量が５０Ｍｂｐｓ以上になったことが１０分以上あったかどうか等を判定し、ＹＥＳの場合にステップＳ０４に進んで有線ＩＰアドレスを決定・通知し、ＮＯの場合にステップＳ０５に進んで無線ＩＰアドレスを決定・通知すれば良い。
【００５６】
さらには、過去のジョブ履歴からＣＰＵ２０２の平均使用率が予め設定された閾値以上の時間帯であるかどうか、あるいは過去の履歴から、無線ＬＡＮＩ／Ｆ２１２のデータ通信量が予め設定された閾値以上の時間帯であるかどうかに基づいて、有線ＩＰアドレスまたは無線ＩＰアドレスのいずれを通知するかを決定しても良い。
【００５７】
図５は、過去のジョブ履歴から、ＣＰＵ２０２の平均使用率または無線ＬＡＮＩ／Ｆ２１２のデータ通信量が、予め設定された閾値以上の時間帯であるかどうかを判定するための、ＣＰＵ２０２の使用状況または無線ＬＡＮＩ／Ｆ２１２の通信状況を示す表である。この表のデータはＨＤＤ２１４等に保存されている。
【００５８】
ＭＦＰ１００は、月曜日〜日曜日までの１週間について、各曜日の０時〜２４時までの１時間毎に、「１時間以内に、ＣＰＵ２０２の使用率が５０％以上であった時間」または「１時間以内に、無線ＬＡＮＩ／Ｆ２１２のデータ通信量が５０Ｍｂｐｓ以上であった時間」を記録していく。１週間分を１ファイルに記録し、過去４週間分と今週分の合計５ファイルを確保する。５ファイル分全て記憶したら最も古いファイルのデータを削除し、過去４週間分のデータを常時保持しておく。
【００５９】
そして、携帯端末装置３００がＮＦＣカードリーダライタ４００にタッチされると、ＣＰＵ２０２は、過去４週間分のファイルから、「１時間以内に、ＣＰＵ２０２の使用率が５０％以上であった時間」または「１時間以内に、無線ＬＡＮＩ／Ｆ２１２のデータ通信量が５０Ｍｂｐｓ以上であった時間」が１０分以上であった時間帯を、現在の時間（携帯端末装置３００がタッチされた時間）に照らし合わせて確認する。図５のファイルでは斜線を付した時間帯が相当する。
【００６０】
そして、現在の時間が、過去４週間の内１回でも「１時間以内に、ＣＰＵ２０２の使用率が５０％以上であった時間」または「１時間以内に、無線ＬＡＮＩ／Ｆ２１２による無線データ通信量が５０Ｍｂｐｓ以上であった時間」が１０分以上であった時間帯に相当する場合は、有線ＩＰアドレスの通知を決定し、１回も相当しない場合は無線ＩＰアドレスの通知を決定する。なお、４週間分の内１回でも相当する場合に有線ＩＰアドレスの通知を決定する構成としたが、２回以上、あるいは３回以上、あるいは全てにおいて相当する場合に有線ＩＰアドレスの通知を決定し、それ以外は無線ＩＰアドレスの通知を決定する構成としても良い。
【００６１】
なお、現在の時間が「１時間以内に、ＣＰＵ２０２の使用率が５０％以上であった時間」が１０分以上であった時間帯に相当するか否かの判定タイミングは、図４のフローチャートにおけるステップＳ０２であり、「１時間以内に、無線ＬＡＮＩ／Ｆ２１２による無線データ通信量が５０Ｍｂｐｓ以上であった時間」が１０分以上であった時間帯に相当するか否かの判定タイミングは、図４のフローチャートにおけるステップＳ０３である。
【００６２】
また、有線ＩＰアドレスを通知するか無線ＩＰアドレスを通知するかの判定基準の他の例として、ＣＰＵ２０２の使用率と、無線ＬＡＮＩ／Ｆ２１２に接続されている携帯端末装置の無線接続数とを確認し、ＣＰＵ２０２の使用率が５０〜７０％の場合に、無線接続数が予め設定された閾値以上（例えば４回線以上）であるときは有線ＩＰアドレスを通知し、閾値未満のときは無線ＩＰアドレスを通知することを決定する例を挙げることができる。
【００６３】
また、有線ＩＰアドレスを通知するか無線ＩＰアドレスを通知するかの判定基準の他の例として、携帯端末装置３００との過去のデータ通信量を携帯端末装置３００毎に管理テーブルに記録しておき、携帯端末装置３００がＮＦＣリーダライタ４００にタッチされたときに、その携帯端末装置３００との過去のデータ通信量を確認し、過去のデータ通信量が予め設定された閾値以上であるときは有線ＩＰアドレスを通知することを決定し、予め設定された閾値未満であるときは無線ＩＰアドレスを通知することを決定する例を挙げることができる。接続が複数回行われた場合はその都度データ通信量が記録される。
【００６４】
図６に、ＭＦＰ１００と過去に接続されたことのある携帯端末装置３００のデータ通信量の管理テーブルの一例を示す。
【００６５】
この例では複数の携帯端末装置を管理するために、携帯端末装置３００がＮＦＣリーダライタ４００にタッチされたときに、ＭＦＰ１００は携帯端末装置３００から固有の識別情報（端末ＩＤ）を取得し、この識別情報を基にデータ通信量を管理している。なお、識別情報として携帯端末装置３００が排他的に保持している情報を使用しても良い。また、携帯端末装置３００にインストールされているアプリケーションに基づいて、携帯端末装置３００のユーザーに識別情報を入力させることにより、ＭＦＰ１００に識別情報を通知しても良い。
【００６６】
図６の例では、識別情報が「ＡＢＣ１２３４５」の携帯端末装置３００については、過去５回の接続機会があり、識別情報が「ＤＥＦ９８７６５」の携帯端末装置３００については、過去３回の接続機会があることが示されており、それぞれの接続時のデータ通信量が記憶されている。
【００６７】
携帯端末装置３００がＮＦＣリーダライタ４００にタッチされると、ＭＦＰ１００は、タッチされた携帯端末装置３００の通信履歴が記憶されているかどうかを確認する。記憶されていない場合は、管理テーブルに新規に識別情報を登録する。この場合は、無線ＩＰアドレスを携帯端末装置３００に通知する。
【００６８】
既に識別情報が存在していれば、過去の接続機会におけるデータ通信量の平均値を計算する。このデータ通信量が予め設定された閾値（例えば１０ＭＢｐｓ）以上の場合は、有線ＩＰアドレスを、閾値未満の場合は無線ＩＰアドレスを通知することを決定する。なお、過去の接続機会におけるデータ通信量の平均値ではなく最大値等であっても良い。
【００６９】
なお、過去のデータ通信量を直接に記憶しておくのではなく、携帯端末装置３００が特定のアプリケーションを使用したかどうかを記憶しておく構成であっても良い。例えば、ＭＦＰ１００の操作パネル２１１に表示される操作画面を、携帯端末装置３００に送信してリモート画面として表示させ、このリモート画面を操作することでＭＦＰ１００の操作を行う携帯端末装置３００では、専用のアプリケーションを使用して一定時間（例えば０．５秒）毎に、操作画面情報を常にフルサイズでＭＦＰ１００に通知し続けるため、この専用のアプリケーションを使用し続けるだけでもデータ通信量は多くなる。
【００７０】
そこで、接続時に専用のアプリケーションを使用したかどうかをＭＦＰ１００に記録しておき、例えば過去５回の接続機会において３回以上そのアプリを使用している場合は、データ通信量が閾値以上であると判断して有線ＩＰアドレスを通知するようにしても良い。
【００７１】
また、具体的な過去のデータ通信量の数値と、専用のアプリケーションを使用した接続回数との組み合わせにより判断しても良い。例えば、データ通信量の平均値が閾値以上で専用のアプリケーションを使用した接続回数が閾値以上の場合に、有線ＩＰアドレスを通知する構成としても良い。
【００７２】
さらに、有線ＩＰアドレスを通知するか無線ＩＰアドレスを通知するかの判定基準の他の例として、予約ジョブにより予想されるＣＰＵ２０２の使用率を確認し、予約ジョブによるＣＰＵ２０２の使用率に基づいて、有線ＩＰアドレスを通知するか無線ＩＰアドレスを通知するかを決定する例を挙げることができる。
【００７３】
ＭＦＰ１００は、マルチジョブ（２つ以上のジョブを同時に実施するジョブ）を実施する場合に、ＣＰＵ２０２の使用率が上昇しやすい。また、同じジョブでも内容によってはＣＰＵ２０２の使用率が大きく変わる。たとえばスキャナ２０９で読み取った原稿の画像データを所定の画像フォーマットに変換し、電子メールで所定宛先に送信する「Scan to E-mail」機能において、画像フォーマットに応じて、ハードウェアで画像処理する場合とソフトウエアで画像処理する場合とがある。ＭＦＰ１００は、携帯端末装置３００がＮＦＣリーダライタ４００にタッチされたときに、ＭＦＰ１００が所有している予約ジョブの内容を確認したうえで、例えば、マルチジョブを多数（たとえば５個以上）所有している場合や、予約されたジョブと現在のジョブとの合算でＣＰＵ２０２の使用率が一定量以上になるような場合は、有線ＩＰアドレスを通知する。
【００７４】
ここで、ＣＰＵ２０２の使用率については、ジョブごとにある程度決定される。また、画像変換ファイルの種類（例えばＰＤＦ、Ｔｉｆｆ、Ｊｐｅｇ）等によってもＣＰＵ２０２の使用率は変動する。この実施形態では、ＭＦＰ１００は内蔵されている図７の表によりＣＰＵ２０２の使用率を仮計算している。
【００７５】
図７の表に示すように、例えばカラーコピージョブをコピープロテクト（地紋等）つきで予約した場合、そのジョブの順番が来てコピーを実行する際、ＣＰＵ使用率は１０＋２＝１２％上昇する。予約ジョブが複数あって、モノクロコピー→ダイレクトプリントの順で予約されている場合に、別ユーザーが画像フォーマットとしてコンパクトＰＤＦ、応用設定としてＯＣＲをそれぞれ設定して「Scan to E-mail」ジョブを開始した場合、ＣＰＵ使用率は、コンパクトＰＤＦ分のＣＰＵ使用率２５％とＯＣＲ設定分のＣＰＵ使用率１０％の合算となり、２５＋１０＝３５％となる。
【００７６】
現在実行中の「Scan to E-mail」ジョブと予約ジョブ（ダイレクトプリント）とのＣＰＵ使用率の合算は３５＋２０＝５５％となる。このようにＣＰＵ２０２の使用率が十分大きいことが予想される状態で、無線ＬＡＮＩ／Ｆ２１２が使用されると、ＣＰＵ２０２の負荷がさらに増大するため、携帯端末装置３００がＮＦＣリーダライタ４００にタッチされた場合は、ＩＰアドレスとして有線ＩＰアドレスの通知を決定する。
【００７７】
このように、予約ジョブにより予想されるＣＰＵ２０２の使用状況をも確認し、予約ジョブによるＣＰＵ２０２の使用状況に基づいて、有線ＩＰアドレスを通知するか無線ＩＰアドレスを通知するかを決定し携帯端末装置３００に通知する処理を、図８のフローチャートに基づいて説明する。
【００７８】
ＭＦＰ１００の電源がＯＮになると、ステップＳ１１では、ＮＦＣリーダライタ４００に携帯端末装置３００がタッチされたかどうか、換言すれば携帯端末装置３００から近距離無線通信によるＩＰアドレスの問い合わせがあったかどうかを判定する。タッチされていなければ（ステップＳ１１でＮＯ）、ステップＳ１１の処理を繰り返す。タッチされると（ステップＳ１１でＹＥＳ）、ステップＳ１２では、ＣＰＵ２０２の今現在の使用率を確認する。
【００７９】
次いで、ステップＳ１３で予約ジョブの有無を調べる。予約ジョブがなければ（ステップＳ１３でＮＯ）、ステップＳ１４でＣＰＵ２０２の使用率が５０％以上かどうかを判定する。使用率が５０％以上であれば（ステップＳ１４でＹＥＳ）、ステップＳ１６で有線ＩＰアドレスの通知を決定し、ＮＦＣリーダライタ４００を介して携帯端末装置３００に通知する。ＣＰＵ２０２の使用率が５０％未満の場合は（ステップＳ１４でＮＯ）、ステップＳ１５で無線ＩＰアドレスの通知を決定し、ＮＦＣリーダライタ４００を介して携帯端末装置３００に通知する。
【００８０】
ステップＳ１３において予約ジョブがある場合は（ステップＳ１３でＹＥＳ）、予約ジョブの変数ｎをｎ＝０に設定した後、予約ジョブの中で最もＣＰＵ使用率が大きい予約ジョブを検索する。具体的には、ステップＳ１８で、予約ジョブの中のＣＰＵ使用率の最大値である予約ジョブＭａｘを０に設定した後、ステップＳ１９で、ｎ番目の予約ジョブのＣＰＵ使用率である予約ジョブ（ｎ・％）が、予約ジョブＭａｘよりも大きいかどうかを判定する。
【００８１】
予約ジョブ（ｎ・％）が予約ジョブＭａｘよりも大きい場合（ステップＳ１９でＹＥＳ）、ステップＳ２０で、予約ジョブＭａｘ＝予約ジョブ（ｎ・％）を設定したのち、ステップＳ２１に進む。予約ジョブ（ｎ・％）が予約ジョブＭａｘよりも大きい場合は（ステップＳ１９でＮＯ）、そのままステップＳ２１に進む。ステップＳ２１ではｎを１インクリメントする。
【００８２】
次いで、ステップＳ２２で次の予約ジョブ（ｎ）が存在するか否かを調べる。存在すれば（ステップＳ２２でＹＥＳ）、ステップＳ１９に戻り、予約ジョブ（ｎ）が存在しなくなるまでステップＳ１９〜Ｓ２２を繰り返し、予約ジョブＭａｘを求める。
【００８３】
予約ジョブ（ｎ）が存在しないと（ステップＳ２２でＮＯ）、ステップＳ２３で、ステップＳ１２で確認した現在のＣＰＵ使用率と、予約ジョブの中で最も大きいＣＰＵ使用率である予約ジョブＭａｘとの合計値が、閾値である５０％以上かどうかを判断する。
【００８４】
合計値が５０％以上であれば（ステップＳ２３でＹＥＳ）、ステップＳ２４で有線ＩＰアドレスの通知を決定し、ＮＦＣリーダライタ４００を介して携帯端末装置３００に通知する。合計値が５０％未満の場合は（ステップＳ２３でＮＯ）、ステップＳ２５で無線ＩＰアドレスの通知を決定し、ＮＦＣリーダライタ４００を介して携帯端末装置３００に通知する。
【００８５】
このように、予約ジョブにより予想されるＣＰＵ２０２の使用率をも確認することにより、最適なＩＰアドレスを携帯端末装置３００に通知することができ、ＭＦＰ１００の負荷の増大を確実に抑制できる。
【００８６】
さらに、有線ＩＰアドレスを通知するか無線ＩＰアドレスを通知するかの判定基準の他の例として、ＭＦＰ１００が受け付けた設定指示に基づくＣＰＵ２０２の使用状況を確認し、この設定指示に基づくＣＰＵ２０２の使用状況に応じて、有線ＩＰアドレスを通知するか無線ＩＰアドレスを通知するかを決定する例を挙げることができる。
【００８７】
ＭＦＰ１００は、マルチジョブでなくても、単独の印刷等の指示でＣＰＵ２０２による処理が大量に必要となるものがある。たとえば別のＭＦＰから画像データを取得しながら印刷するような処理である。このような処理をユーザーが実行しそうかどうかを、操作パネル２１１や他のＵＩ(たとえばＷｅｂ経由での指示、アプリ経由での指示)の画面遷移で判断できる。そこで、たとえば上記のようなＣＰＵ２０２による処理が大量に必要となる処理の設定画面で詳細設定を行っている場合に、携帯端末装置３００がＮＦＣリーダライタ４００にタッチされたときは、負荷のさらなる増大を抑制するためＩＰアドレスとして有線ＩＰアドレスを指定する。
【００８８】
このように、ＭＦＰ１００が受け付けた設定指示に基づくＣＰＵ２０２の使用状況を確認し、この設定指示に基づくＣＰＵ２０２の使用状況に応じて、有線ＩＰアドレスを通知するか無線ＩＰアドレスを通知するかを決定し携帯端末装置に通知する処理を、図９のフローチャートに基づいて説明する。
【００８９】
ＭＦＰ１００の電源がＯＮになると、ステップＳ３１では、ＮＦＣリーダライタ４００に携帯端末装置３００がタッチされたかどうか、換言すれば携帯端末装置３００から近距離無線通信によるＩＰアドレスの問い合わせがあったかどうかを判定する。タッチされていなければ（ステップＳ３１でＮＯ）、ステップＳ３１の処理を繰り返す。
【００９０】
タッチされると（ステップＳ３１でＹＥＳ）、ステップＳ３２で、操作パネル２１１に表示されている画面が、予め設定された特定の画面（たとえば別のＭＦＰから画像データを取得しながら印刷する機能の設定画面）であるか否かを確認する。特定の画面でなければ（ステップＳ３２でＮＯ）、ステップＳ３３で無線ＩＰアドレスの通知を決定し、ＮＦＣリーダライタ４００を介して携帯端末装置３００に通知する。
【００９１】
特定の画面である場合（ステップＳ３２でＹＥＳ）、ステップＳ３４で、その画面で設定が変更されたかどうかを確認する。設定が変更されていれば（ステップＳ３４でＹＥＳ）、大量の処理が発生しＣＰＵ２０２の使用率が高くなることが予想されるから、ステップＳ３５で有線ＩＰアドレスの通知を決定し、ＮＦＣリーダライタ４００を介して携帯端末装置３００に通知する。設定が変更されていなければ（ステップＳ３４でＮＯ）、ステップＳ３３で無線ＩＰアドレスの通知を決定し、ＮＦＣリーダライタ４００を介して携帯端末装置３００に通知する。
【００９２】
このように、ＭＦＰ１００が受け付けた設定指示に基づくＣＰＵ２０２の使用状況に応じて最適なＩＰアドレスを通知することができ、ＭＦＰ１００の負荷の増大を確実に抑制できる。
【００９３】
以上、本発明の一実施形態を説明したが、本発明は上記実施形態に限定されることはない。
【００９４】
例えば、携帯端末装置３００がＮＦＣリーダライタ４００にタッチされたときに、ＣＰＵ２０２の使用状況や無線ＬＡＮＩ／Ｆ２１２の通信状況を確認し、確認結果に応じて有線ＩＰアドレスを通知するか無線ＩＰアドレスを通知するかを決定し、携帯端末装置３００に通知する動作を行うかどうかをユーザーが設定できるようにしても良い。具体的には、設定ボタンを操作画面に表示し、該設定ボタンがユーザーによって押された場合にのみ、上記動作が行われる構成としても良い。
【符号の説明】
【００９５】
１００    画像処理装置
２０１    制御部
２０２    ＣＰＵ
２１１    操作パネル
２１２    無線ＬＡＮインターフェース
２１３    有線ＬＡＮインターフェース
３００    携帯端末装置
４００    ＮＦＣリーダライタ（近距離無線通信部）
【図１】
0006620587.tif 000002
【図２】
0006620587.tif 000003
【図３】
0006620587.tif 000004
【図４】
0006620587.tif 000005
【図５】
0006620587.tif 000006
【図６】
0006620587.tif 000007
【図７】
0006620587.tif 000008
【図８】
0006620587.tif 000009
【図９】
0006620587.tif 000010